(57)【要約】【課題】デジタルカメラ等において取得された画像データに対して、その出力先に適した画像処理を施す。【解決手段】デジタルカメラ１において画像データＳ０を取得し、その出力先の入力を受け付け、出力先を表す用途情報Ｙ０を生成し、これを画像データＳ０に付与してメモリカード１２に記録する。画像処理装置２においては、メモリカード１２から画像データＳ０を読み出し、画像データＳ０に画像処理を施すための画像処理パラメータＰ０を算出し、画像データＳ０に付与された用途情報Ｙ０に基づいて、画像処理パラメータＰ０を出力先に適した画像処理が可能なように修正して修正パラメータＰ１を得る。そして、修正パラメータＰ１に基づいて画像データＳ０に画像処理を施して処理済み画像データＳ１を得、これを用途情報Ｙ０により表される出力先に出力する。【選択図】　　　　　図１
2004120398.tif 000002
【特許請求の範囲】
【請求項１】
画像データを外部装置に出力する画像出力方法において、
前記画像データの出力先の入力を受け付け、
該出力先を表す用途情報を前記画像データに付与し、該用途情報が付与された前記画像データを出力することを特徴とする画像出力方法。
【請求項２】
請求項１記載の画像出力方法により出力された前記画像データに付与された前記用途情報を取得し、
該用途情報に基づいて前記画像データの出力先に応じた画像処理を前記画像データに対して施して処理済み画像データを得ることを特徴とする画像処理方法。
【請求項３】
画像データに対して画像処理を施す画像処理方法において、
前記画像データの出力先の入力を受け付け、
該出力先に応じた画像処理を前記画像データに対して施して処理済み画像データを得ることを特徴とする画像処理方法。
【請求項４】
画像データを外部装置に出力する画像出力装置において、
前記画像データの出力先の入力を受け付ける入力手段と、
該出力先を表す用途情報を前記画像データに付与し、該用途情報が付与された前記画像データを出力する出力手段とを備えたことを特徴とする画像出力装置。
【請求項５】
請求項１記載の画像出力方法により出力された前記画像データに付与された前記用途情報を取得する用途情報取得手段と、
該用途情報に基づいて前記画像データの出力先に応じた画像処理を前記画像データに対して施して処理済み画像データを得る処理手段とを備えたことを特徴とする画像処理装置。
【請求項６】
画像データに対して画像処理を施す画像処理装置において、
前記画像データの出力先の入力を受け付ける入力手段と、
該出力先に応じた画像処理を前記画像データに対して施して処理済み画像データを得る処理手段とを備えたことを特徴とする画像処理装置。
【請求項７】
画像データを外部装置に出力する画像出力方法をコンピュータに実行させるためのプログラムにおいて、
前記画像データの出力先の入力を受け付ける手順と、
該出力先を表す用途情報を前記画像データに付与し、該用途情報が付与された前記画像データを出力する手順とを有するプログラム。
【請求項８】
請求項１記載の画像出力方法により出力された前記画像データに付与された前記用途情報を取得する手順と、
該用途情報に基づいて前記画像データの出力先に応じた画像処理を前記画像データに対して施して処理済み画像データを得る手順とを有する画像処理方法をコンピュータに実行させるためのプログラム。
【請求項９】
画像データに対して画像処理を施す画像処理方法をコンピュータに実行させるためのプログラムにおいて、
前記画像データの出力先の入力を受け付ける手順と、
該出力先に応じた画像処理を前記画像データに対して施して処理済み画像データを得る手順とを有するプログラム。
【発明の詳細な説明】
【０００１】
【発明の属する技術分野】
本発明は、画像データをメモリカード等の記録媒体に記録する記録装置、画像処理装置、および画像再生装置等の外部装置に画像データを出力する画像出力方法および装置、画像データに対して画像処理を施す画像処理方法および装置並びに画像出力方法および画像処理方法をコンピュータに実行させるためのプログラムに関するものである。
【０００２】
【従来の技術】
デジタルカメラ等の撮像デバイスにより取得された画像データや、写真フイルムに記録された画像をスキャナにより読み取ることにより得られた画像データを、プリンタやモニタのような出力デバイスを用いて再生するシステムが知られている。ここで、画像データを再生する際には、画像データに対して濃度変換処理、ホワイトバランス調整処理、階調変換処理、彩度強調処理、シャープネス処理等の種々の画像処理を施すことにより、再生画像の画質を向上させることができる。
【０００３】
一方、携帯電話の普及には目覚ましいものがあるが、近年、撮影により画像データを取得する撮影手段を有するカメラ付き携帯電話が普及しつつある（例えば特開平６−２３３０２０号公報、同９−３２２１１４号公報、同１０−１５０５２３号公報、特開２０００−２５３２９０号公報等）。このようなカメラ付き携帯電話を用いることにより、撮影により取得した自分の好みの画像データを携帯電話の待ち受け画面に設定できる。また、撮影により取得した画像データを電子メールに添付して友人に送信することができるため、約束をキャンセルせざるを得ないような状況になったとき、あるいは待ち合わせ時刻に遅刻しそうなときに、申し訳なさそうな自分の表情を撮影して友人に送信する等、現在の自分の状況を友人に知らせることができることから、友人とのコミュニケーションを図るのに便利である。
【０００４】
【発明が解決しようとする課題】
ところで、上述したような携帯電話やＰＤＡのような携帯端末装置の普及により、デジタルカメラ等の撮像デバイスにおいて取得したり、写真フイルムから読み取った画像データを携帯端末装置に送信して表示することも多くなってきている。しかしながら、携帯端末装置に用いられている液晶モニタは、パソコンのモニタと比較すると、輝度がそれほど高くなく、画面サイズもそれほど大きくない。さらに、画像の鮮やかさもパソコンのモニタよりも低い。したがって、撮像デバイスやスキャナにおいて取得された画像データを携帯端末装置において再生した場合、再生画像は非常にメリハリのないものとなってしまう。
【０００５】
このため、携帯端末装置において見えのよい画像となるように、画像データに対して階調を立てたり、彩度を向上させる画像処理を施すことが考えられる。しかしながら、携帯端末装置に表示するのに適した画像となるような画像処理を施すことにより得られた処理済み画像データを、パソコンのモニタに表示したり、プリント出力した場合、再生された画像は階調が硬すぎたり、画像が鮮やかすぎるものとなってしまう。
【０００６】
さらに、プリントすることを想定して画像処理が施された画像データをパソコンのモニタに表示した場合、シャープネスが強すぎることが本出願人の経験から分かっている。
【０００７】
本発明は上記事情に鑑みなされたものであり、画像データに対してその出力先に適した画像処理を行うことを目的とする。
【０００８】
【課題を解決するための手段】
本発明による画像出力方法は、画像データを外部装置に出力する画像出力方法において、
前記画像データの出力先の入力を受け付け、
該出力先を表す用途情報を前記画像データに付与し、該用途情報が付与された前記画像データを出力することを特徴とするものである。
【０００９】
「外部装置」としては、画像データに対して画像処理を施す画像処理装置、画像データを保管する画像サーバ等の他、メモリカード等の記録媒体に画像データを記録する記録装置も含む。
【００１０】
「出力先」としては、パソコンのモニタ、プリント出力を行うプリンタ、携帯電話やＰＤＡのような携帯端末装置等が挙げられる。なお、出力先は複数であってもよい。
【００１１】
「用途情報を画像データに付与する」とは、画像データのタグ情報に用途情報を記述する、用途情報を記述したファイルを画像データのファイルと一体にする等、用途情報と画像データとを一体不可分の関係にすることをいう。
【００１２】
本発明による第１の画像処理方法は、本発明による画像出力方法により出力された前記画像データに付与された前記用途情報を取得し、
該用途情報に基づいて前記画像データの出力先に応じた画像処理を前記画像データに対して施して処理済み画像データを得ることを特徴とするものである。
【００１３】
本発明による第２の画像処理方法は、画像データに対して画像処理を施す画像処理方法において、
前記画像データの出力先の入力を受け付け、
該出力先に応じた画像処理を前記画像データに対して施して処理済み画像データを得ることを特徴とするものである。
【００１４】
本発明による画像出力装置は、画像データを外部装置に出力する画像出力装置において、
前記画像データの出力先の入力を受け付ける入力手段と、
該出力先を表す用途情報を前記画像データに付与し、該用途情報が付与された前記画像データを出力する出力手段とを備えたことを特徴とするものである。
【００１５】
本発明による第１の画像処理装置は、本発明による画像出力方法により出力された前記画像データに付与された前記用途情報を取得する用途情報取得手段と、
該用途情報に基づいて前記画像データの出力先に応じた画像処理を前記画像データに対して施して処理済み画像データを得る処理手段とを備えたことを特徴とするものである。
【００１６】
本発明による第２の画像処理装置は、画像データに対して画像処理を施す画像処理装置において、
前記画像データの出力先の入力を受け付ける入力手段と、
該出力先に応じた画像処理を前記画像データに対して施して処理済み画像データを得る処理手段とを備えたことを特徴とするものである。
【００１７】
なお、本発明による画像出力方法並びに第１および第２の画像処理方法をコンピュータに実行させるためのプログラムとして提供してもよい。
【００１８】
【発明の効果】
本発明による画像出力方法および装置によれば、画像データの出力先の入力が受け付けられ、入力された出力先を表す用途情報が画像データに付与され、用途情報が付与された画像データが出力される。したがって、画像データに付与された用途情報を参照することにより、画像データの出力先を容易に認識することができる。
【００１９】
本発明による第１の画像処理方法および装置によれば、本発明による画像出力方法により出力された画像データに付与された用途情報が取得され、用途情報に基づいて、画像データの出力先に応じた画像処理が画像データに対して施されて処理済み画像データが得られる。したがって、出力先に応じた最適な画質を有する画像を再生可能な処理済み画像データを得ることができる。
【００２０】
本発明による第２の画像処理方法および装置によれば、画像データの出力先の入力が受け付けられ、入力された出力先に応じた画像処理が画像データに対して施されて処理済み画像データが得られる。したがって、出力先に応じた最適な画質を有する画像を再生可能な処理済み画像データを得ることができる。
【００２１】
【発明の実施の形態】
以下図面を参照して本発明の実施形態について説明する。図１は本発明の第１の実施形態による画像出力装置および画像処理装置を適用した画像処理システムの構成を示す概略ブロック図である。図１に示すように、本実施形態による画像処理システムは、本発明による画像出力装置を備えたデジタルカメラ１と、デジタルカメラ１において取得された画像データＳ０に対して画像処理を施す画像処理装置２とを備える。
【００２２】
デジタルカメラ１は、撮影レンズ、シャッタ、ＣＣＤ等からなる撮像手段１１と、撮像により取得された画像データＳ０をメモリカード１２に記録する記録手段１３と、画像データＳ０の出力先や種々の情報を入力する入力手段１４と、入力手段１４により入力された画像データＳ０の出力先を表す用途情報Ｙ０を生成する用途情報生成手段１５と、デジタルカメラ１の動作を制御するコントローラ１６とを備える。
【００２３】
入力手段１４は、画像データＳ０の出力先を指定するための３つの出力先ボタン１４Ａ〜１４Ｃを有する。出力先ボタン１４Ａは画像データＳ０の出力先をプリント出力を行うプリンタに指定するためのものであり、出力先ボタン１４Ｂは画像データＳ０の出力先をパソコンのモニタに指定するためのものであり、出力先ボタン１４Ｃは画像データＳ０の出力先を携帯電話やＰＤＡ等の携帯端末装置に指定するためのものである。
【００２４】
用途情報生成手段１５は、出力先ボタン１４Ａ〜１４Ｃにより指定された出力先を表す用途情報Ｙ０を生成する。
【００２５】
コントローラ１５は、用途情報生成手段１５が生成した用途情報Ｙ０を画像データＳ０のタグ情報に記述することにより、用途情報Ｙ０を画像データＳ０に付与する。なお、用途情報Ｙ０のタグ情報への記述に代えて、用途情報Ｙ０を記述したファイルを作成し、このファイルを画像データＳ０のファイルに添付することにより、用途情報Ｙ０を画像データＳ０に付与してもよい。
【００２６】
なお、出力先ボタン１４Ａ〜１４Ｃからの入力に代えて、メモリカード１２への記録画素数、または画像データＳ０の圧縮率に応じて用途情報Ｙ０を生成してもよい。例えば、記録画素数がＶＧＡ以下であれば出力先は携帯端末装置であるとし、記録画素数が増大するに連れて、モニタさらにはプリンタを画像データＳ０の出力先として用途情報Ｙ０を生成してもよい。
【００２７】
さらに、圧縮率を表す圧縮モードが低、中および高と切り替え可能な場合において、「低」が選択された場合にはプリンタ、「中」が選択された場合にはモニタ、「高」が選択された場合には携帯端末装置を画像データＳ０の出力先としてもよい。
【００２８】
画像処理装置２は、画像データＳ０が記録されたメモリカード１２から画像データＳ０を読み出す読出手段２１と、画像データＳ０のタグ情報に記述された用途情報Ｙ０を取得する用途情報取得手段２２と、画像データＳ０に基づいて画像データＳ０に施す画像処理のための画像処理パラメータＰ０を算出するパラメータ算出手段２３と、用途情報取得手段２２において取得された用途情報Ｙ０に基づいて、画像処理パラメータＰ０を修正して修正パラメータＰ１を得るパラメータ修正手段２４と、修正パラメータＰ１に基づいて画像データＳ０に対して画像処理を施して処理済み画像データＳ１を得る画像処理手段２５と、処理済み画像データＳ１を再生装置に出力する出力手段２６と、画像処理装置２の動作を制御するコントローラ２７とを備える。
【００２９】
用途情報取得手段２２は、画像データＳ０のタグ情報を読み出すことにより、タグ情報に記述された用途情報Ｙ０を取得する。
【００３０】
パラメータ算出手段２３は、画像データＳ０に基づいて、濃度補正処理、ホワイトバランス調整処理、階調変換処理、色補正処理、シャープネス処理等、画像データＳ０に対して施す画像処理のための画像処理パラメータＰ０を算出する。
【００３１】
パラメータ修正手段２４は、用途情報Ｙ０により表される画像データＳ０の出力先に応じて画像処理パラメータＰ０を修正して修正パラメータＰ１を得る。例えば、画像データＳ０の出力先がプリンタである場合には、画像処理パラメータＰ０に対してほとんど修正を行うことなく修正パラメータＰ１を得る。また、画像データＳ０をパソコンに表示した場合にはシャープネスが強く感じられることから、画像データＳ０の出力先がパソコンのモニタである場合には、シャープネス処理を若干弱めるように画像処理パラメータＰ０を修正して修正パラメータＰ１を得る。また、携帯電話やＰＤＡ等の携帯端末装置のモニタは、輝度がそれほど高くなく、画面サイズもそれほど大きくない。さらに、画像の鮮やかさもパソコンのモニタよりも低い。このため、画像データＳ０の出力先が携帯端末装置である場合には、階調を立てるとともに、彩度を高くするように画像処理パラメータＰ０を修正して修正パラメータＰ１を得る。
【００３２】
画像処理手段２５は、修正パラメータＰ１に基づいて、濃度補正処理、ホワイトバランス調整処理、階調変換処理、色補正処理、シャープネス処理等の画像処理を画像データＳ０に対して施して処理済み画像データＳ１を得る。
【００３３】
出力手段２６は、用途情報Ｙ０により表される画像データＳ０の出力先に処理済み画像データＳ１を出力する。すなわち、画像データＳ０の出力先がプリンタである場合には、プリンタ３Ａに処理済み画像データＳ１を出力し、画像データＳ０の出力先がパソコンである場合には、パソコンからネットワークを介してアクセス可能な画像サーバ３Ｂに処理済み画像データＳ１を出力する。さらに、画像データＳ０の出力先が携帯端末装置である場合には、携帯端末装置から携帯電話通信網を介してアクセス可能な画像サーバ３Ｃに処理済み画像データＳ１を出力する。
【００３４】
次いで、第１の実施形態の動作について説明する。図２はデジタルカメラにおいて行われる処理を示すフローチャートである。まず、撮像手段１１により撮影が行われて画像データＳ０が取得される（ステップＳ１）。一方、入力手段１４においてデジタルカメラ１のユーザによる画像データＳ０の出力先の入力が受け付けられ（ステップＳ２）、用途情報生成手段１５において、入力された出力先を表す用途情報Ｙ０が生成される（ステップＳ３）。生成された用途情報Ｙ０は、画像データＳ０のタグ情報に記述されることにより画像データＳ０に付与される（ステップＳ４）。用途情報Ｙ０が付与された画像データＳ０は記録手段１３においてメモリカード１２に記録され（ステップＳ５）、処理を終了する。
【００３５】
図３は、画像処理装置２において行われる処理を示すフローチャートである。まず、読出手段２１によりメモリカード１２から画像データＳ０が読み出される（ステップＳ１１）。次いで、用途情報取得手段２２により画像データＳ０に付与された用途情報Ｙ０が取得される（ステップＳ１２）。一方、パラメータ算出手段２３において画像データＳ０に基づいて画像データＳ０に施す画像処理のための画像処理パラメータＰ０が算出される（ステップＳ１３）。なお、ステップＳ１２およびステップＳ１３の処理は逆に行ってもよく、並列に行ってもよい。
【００３６】
そして、パラメータ修正手段２４において、用途情報Ｙ０により表される出力先に応じて画像処理パラメータＰ０が修正されて修正パラメータＰ１が取得される（ステップＳ１４）。次いで、画像処理手段２５において修正パラメータＰ１に基づいて画像データＳ０に対して画像処理が施されて処理済み画像データＳ１が得られる（ステップＳ１５）。処理済み画像データＳ１は、出力手段２６において用途情報Ｙ０により表される出力先に出力され（ステップＳ１６）、処理を終了する。
【００３７】
このように、第１の実施形態によれば、デジタルカメラ１において、画像データＳ０の出力先の入力を受け付け、入力された出力先を表す用途情報Ｙ０を画像データＳ０に付与し、用途情報Ｙ０が付与された画像データＳ０を出力するようにしたため、画像処理装置２においては、画像データＳ０に付与された用途情報Ｙ０を参照することにより、画像データＳ０の出力先を容易に認識することができる。
【００３８】
また、画像処理装置２においては、画像データＳ０に付与された用途情報Ｙ０を取得し、用途情報Ｙ０に基づいて、画像処理パラメータＰ０を修正して修正パラメータＰ１を得、修正パラメータＰ１に基づいて画像データＳ０に対して画像処理を施すようにしたため、画像データＳ０の出力先に応じた画像処理を画像データＳ０に対して施すことができる。したがって、出力先に応じた最適な画質を有する画像を再生可能な処理済み画像データＳ１を得ることができる。
【００３９】
なお、上記第１の実施形態においては、デジタルカメラ１において複数の出力先を入力してもよい。この場合、用途情報Ｙ０は複数の出力先を表すものとなる。一方、画像処理装置２においては、画像処理パラメータＰ０が出力先に応じて修正され、例えば出力先が２箇所である場合には、出力先毎に２つの修正パラメータＰ２，Ｐ３が取得される。そして、出力先毎の修正パラメータＰ２，Ｐ３により画像データＳ０に対して画像処理が施されて、２つの処理済み画像データＳ２，Ｓ３が得られる。各処理済み画像データＳ２，Ｓ３はそれぞれの出力先に出力されて再生される。
【００４０】
また、上記第１の実施形態においては、デジタルカメラ１において画像データＳ０を取得しているが、写真フイルムから画像を読み取ることにより画像データを得るスキャナ等の画像読取装置において出力先の入力を受け付けて、画像データＳ０に用途情報Ｙ０を付与するようにしてもよい。この場合、画像処理装置２においては、デジタルカメラ１において取得された画像データＳ０と同様に、出力先に応じた修正パラメータＰ１により画像データＳ０に対して画像処理が施されて処理済み画像データＳ１が取得される。
【００４１】
次いで、本発明の第２の実施形態について説明する。図４は、本発明の第２の実施形態による画像処理装置を備えたデジタルカメラの構成を示す概略ブロック図である。なお、第２の実施形態において第１の実施形態におけるデジタルカメラ１と同一の構成については同一の参照番号を付し、詳細な説明は省略する。図４に示すように、第２の実施形態によるデジタルカメラ７は、第１の実施形態のデジタルカメラ１における撮像手段１１、記録手段１３、入力手段１４および用途情報生成手段１５に加えて、画像データＳ０に基づいて画像データＳ０に施す画像処理のための画像処理パラメータＰ０を算出するパラメータ算出手段７３と、用途情報生成手段１５において取得された用途情報Ｙ０に基づいて、画像処理パラメータＰ０を修正して修正パラメータＰ１を得るパラメータ修正手段７４と、修正パラメータＰ１に基づいて画像データＳ０に対して画像処理を施して処理済み画像データＳ１を得る画像処理手段７５とを備えた点が第１の実施形態と異なる。
【００４２】
次いで、第２の実施形態の動作について説明する。図５は第２の実施形態において行われる処理を示すフローチャートである。まず、撮像手段１１により撮影が行われて画像データＳ０が取得される（ステップＳ２１）。一方、入力手段１４においてデジタルカメラ１のユーザによる画像データＳ０の出力先の入力が受け付けられ（ステップＳ２２）、用途情報生成手段１５において、入力された出力先を表す用途情報Ｙ０が生成される（ステップＳ２３）。
【００４３】
一方、パラメータ算出手段７３において画像データＳ０に基づいて画像データＳ０に施す画像処理のための画像処理パラメータＰ０が算出される（ステップＳ２４）。なお、ステップＳ２３およびステップＳ２４の処理は逆に行ってもよく、並列に行ってもよい。
【００４４】
そして、パラメータ修正手段７４において、用途情報Ｙ０により表される出力先に応じて画像処理パラメータＰ０が修正されて修正パラメータＰ１が取得される（ステップＳ２５）。次いで、画像処理手段７５において修正パラメータＰ１に基づいて画像データＳ０に対して画像処理が施されて処理済み画像データＳ１が得られる（ステップＳ２６）。処理済み画像データＳ１は記録手段１３においてメモリカード１２に記録され（ステップＳ２７）、処理を終了する。
【００４５】
なお、メモリカード１２に処理済み画像データＳ１を記録する際には、処理済み画像データＳ１のタグ情報に用途情報Ｙ０を記述することにより、処理済み画像データＳ１に付与された用途情報Ｙ０を参照すれば、処理済み画像データＳ１がどの出力先に適した画像処理が施されたものであるかを容易に認識することができる。
【００４６】
このように、第２の実施形態によれば、デジタルカメラ７において、画像データＳ０の出力先の入力を受け付け、入力された出力先を表す用途情報Ｙ０に基づいて、画像処理パラメータＰ０を修正して修正パラメータＰ１を得、修正パラメータＰ１に基づいて画像データＳ０に対して画像処理を施すようにしたものである。このため、画像データＳ０の出力先に応じた画像処理を画像データＳ０に対して施すことができ、これにより、処理済み画像データＳ１の出力先においては、出力先に応じた最適な画質にて処理済み画像データＳ１を再生することができる。
【００４７】
なお、上記第２の実施形態においては、デジタルカメラ１において複数の出力先を入力してもよい。この場合、用途情報Ｙ０は複数の出力先を表すものとなる。一方、パラメータ修正手段７４においては、画像処理パラメータＰ０が出力先に応じて修正され、例えば出力先が２箇所である場合には、出力先毎に２つの修正パラメータＰ２，Ｐ３が取得される。そして、出力先毎の修正パラメータＰ２，Ｐ３により画像処理手段７５において画像データＳ０に対して画像処理が施されて、２つの処理済み画像データＳ２，Ｓ３が得られる。各処理済み画像データＳ２，Ｓ３はそれぞれの出力先に出力されて再生される。
【００４８】
また、上記第２の実施形態においては、デジタルカメラ１において処理を行っているが、写真フイルムから画像を読み取ることにより画像データを得るスキャナ等の画像読取装置においても出力先の入力を受け付けて、デジタルカメラ７と同様に、読み取った画像データに対して出力先に応じた画像処理を施すことができる。
【００４９】
また、上記第１および第２の実施形態においては、用途情報Ｙ０に応じて画像処理パラメータＰ０を修正して修正パラメータＰ１を取得しているが、用途に応じた複数種類の修正パラメータＰ１を予め算出しておき、画像データＳ０に付与された用途情報Ｙ０に応じて修正パラメータＰ１を選択するようにしてもよい。
【００５０】
また、上記第１および第２の実施形態において、出力先の入力は画像データＳ０毎に受け付けているが、複数の画像データＳ０についてまとめて出力先の入力を受け付けるようにしてもよい。また、出力先の入力がない場合を考慮して、デフォルトの出力先を予め設定しておいてもよい。
【図面の簡単な説明】
【図１】本発明の第１の実施形態による画像出力装置および画像処理装置を適用した画像処理システムの構成を示す概略ブロック図
【図２】デジタルカメラにおいて行われる処理を示すフローチャート
【図３】画像処理装置において行われる処理を示すフローチャート
【図４】本発明の第２の実施形態による画像処理装置を備えたデジタルカメラの構成を示す概略ブロック図
【図５】第２の実施形態による画像処理装置において行われる処理を示すフローチャート
【符号の説明】
１，７　　デジタルカメラ
２　　画像処理装置
３Ａ　　プリンタ
３Ｂ，３Ｃ　　画像サーバ
１１　　撮像手段
１２　　メモリカード
１３　　記録手段
１４　　入力手段
１５　　用途情報生成手段
１６，２７　　コントローラ
２１　　読出手段
２２　　用途情報取得手段
２３，７３　　パラメータ算出手段
２４，７４　　パラメータ修正手段
２５，７５　　画像処理手段
２６　　出力手段
【図１】
2004120398.tif 000003
【図２】
2004120398.tif 000004
【図３】
2004120398.tif 000005
【図４】
2004120398.tif 000006
【図５】
2004120398.tif 000007